(57)【要約】【課題】起動時において等化機能を自動でオンにすることができ、等化機能がオンになった直後でも、装置の動作が安定し、また、遅延なく信号を送出することを可能にする。【解決手段】入力されたＩＦ信号は、分配部３１によりバイパスモード及び等化モードに分配される。このため、等化部３７には常に信号が入力されるようになっている。等化部３７は入力される信号を等化処理し、等化処理が有効／無効である旨を示す監視信号を制御部３９に出力する。等化装置３０は、装置の起動時にはバイパスモードを選択し、装置の起動後、等化処理が有効である旨を示す監視信号を受け取ると、切替部３２，３８を切替制御し、モードを等化モードに切り替える。【選択図】      図２
2009124263.tif 000002
【特許請求の範囲】
【請求項１】
中間周波数帯の放送波信号を２系統に分配する第１の分配部と、
前記分配された一方の放送波信号を等化処理し、当該等化処理が有効である場合は、等化処理が有効である旨を通知し、前記等化処理が有効でない場合は、等化処理が無効である旨を通知する等化手段と、
前記分配された他方の放送波信号と前記等化手段からの放送波信号とを受け取り、それらのうち一方を選択的に導出する第１の切替部と、
起動が指示された時は、前記第１の切替部に前記分配された放送波信号を選択させ、その後、前記等化処理が有効である旨の通知を受けた場合、前記第１の切替部に前記等化手段からの放送波信号を選択させる制御部と
を備えることを特徴とする等化装置。
【請求項２】
前記等化手段は、
前記分配された一方の放送波信号をデジタル変換するアナログ−デジタル変換部と、
前記デジタル変換された放送波信号を直交復調する直交復調部と、
前記直交復調された放送波信号の雑音成分が含まれる周波数帯域を制限する帯域制限部と、
前記周波数帯域が制限された放送波信号を等化処理し、当該等化処理が有効である場合は、等化処理が有効である旨を通知し、前記等化処理が有効でない場合は、等化処理が無効である旨を通知する等化部と、
前記等化部からの放送波信号を直交変調する直交変調部と、
前記直交変調された放送波信号をアナログ変換するデジタル−アナログ変換部と
を備えることを特徴とする請求項１記載の等化装置。
【請求項３】
前記等化手段は、
前記周波数帯域が制限された放送波信号を２系統に分配し、一方を前記等化部に出力する第２の分配部と、
前記第２の分配部で分配された他方の放送波信号と前記等化部からの放送波信号とを受け取り、それらのうち一方を選択的に導出する第２の切替部と
をさらに備え、
前記制御部は、前記等化処理が有効である旨の通知を受けた場合、前記第２の切替部に前記等化部からの放送波信号を選択させ、前記等化処理が無効である旨の通知を受けた場合、前記第２の切替部に前記第２の分配部で分配された他方の放送波信号を選択させることを特徴とする請求項２記載の等化装置。
【請求項４】
前記制御部は、前記第１の切替部が前記等化手段からの放送波信号を選択する状態において、前記第２の切替部の切替制御を行うことを特徴とする請求項３記載の等化装置。
【請求項５】
前記各構成要素における異常を検知し、アラーム信号を送信する異常検知手段をさらに備え、
前記制御部は、前記アラーム信号を受け取ると前記第１の切替部に前記分配された他方の放送波信号を選択させることを特徴とする請求項１記載の等化装置。
【請求項６】
外部から入力される等化機能オン信号及び等化機能オフ信号を受信する受信部をさらに備え、
前記制御部は、前記等化手段における前記等化処理が有効であるときに、前記等化機能オン信号を受け取った場合は前記第２の切替部に前記等化部からの放送波信号を選択させ、前記等化機能オフ信号を受け取った場合は前記第２の切替部に前記第２の分配部で分配された他方の放送波信号を選択させることを特徴とする請求項３記載の等化装置。
【請求項７】
前記制御部は、前記第１の切替部が前記等化手段からの放送波信号を選択する状態において、前記第２の切替部の切替制御を行うことを特徴とする請求項６記載の等化装置。
【発明の詳細な説明】
【技術分野】
【０００１】
本発明は、例えばＯＦＤＭ（Orthogonal Frequency Division Multiplexing：直交周波数分割多重）変調方式の中継装置においてマルチパスやマルチパスフェージングを抑圧する等化装置に関する。
【背景技術】
【０００２】
地上デジタル放送システムでは、放送サービスエリアの拡大および難視聴地域の解消を目的として、多数の中継装置を所定のエリアに分散配置し、各中継装置にてＯＦＤＭ変調方式による放送波信号を多段中継する方式が採用されている。この中継装置は、基地局からの放送波信号を中継するものである。ただし、放送波信号を中継する際、マルチパスやマルチパスフェージング等の影響により、正確に中継することができないことがある。そこで中継装置には、マルチパスやマルチパスフェージング等を抑圧するため、放送波信号を等化することが可能な等化装置が設置されている。
【０００３】
等化装置は、放送波信号の等化処理を行うことにより、信号の中継を妨げるマルチパスやマルチパスフェージング等を抑圧する。従来の等化装置は、装置を起動した直後は電源断時の状態に従って動作を開始する。よって、電源断時、等化機能がオフの時は、装置の動作が安定するのを見計らい、ユーザが手動ないしリモートで等化機能をオンすることにより放送波信号の等化処理が開始される。
【０００４】
しかしながら、手動により等化機能をオンする方法では、手間がかかることに加え、等化機能をオンにしても等化装置の動作が安定しているとは限らないという問題があった。さらに、放送波信号は、等化機能がオンになってから等化処理されるため、等化機能をオンしてから等化処理が施された最初の放送波信号が出力されるまでに遅延が生じるおそれがあった。
【０００５】
なお、等化処理の際の放送波信号のレベルを監視し、抑圧すべき信号成分が主信号成分に比べて小さいとき、等化機能をオフにする制御方法が提案されている（例えば、特許文献１参照。）。
【特許文献１】特開２００１−３３３０４２号公報
【発明の開示】
【発明が解決しようとする課題】
【０００６】
以上のように従来の等化装置では、等化装置の起動時に、等化機能がオフの時は、等化機能を手動でオンにする必要があったため、手間がかかり、等化機能をオンにしても等化装置の動作が安定しているとは限らなかった。また、等化機能をオンにした後から等化処理が開始されるため、出力までに遅延が生じるおそれがあった。
【０００７】
本発明は、上記事情によりなされたものであり、その目的は、起動時において等化機能を自動でオンにすることができ、等化機能がオンになった直後でも、装置の動作が安定し、また、遅延なく信号を送出することが可能な等化装置を提供することにある。
【課題を解決するための手段】
【０００８】
上記目的を達成するため、本発明に係る等化装置は、中間周波数帯の放送波信号を２系統に分配する第１の分配部と、前記分配された一方の放送波信号を等化処理し、当該等化処理が有効である場合は、等化処理が有効である旨を通知し、前記等化処理が有効でない場合は、等化処理が無効である旨を通知する等化手段と、前記分配された他方の放送波信号と前記等化手段からの放送波信号とを受け取り、それらのうち一方を選択的に導出する第１の切替部と、起動が指示された時は、前記第１の切替部に前記分配された放送波信号を選択させ、その後、前記等化処理が有効である旨の通知を受けた場合、前記第１の切替部に前記等化手段からの放送波信号を選択させる制御部とを備える。
【０００９】
上記構成における等化装置は、第１の分配部により放送波信号を等化手段を介する経路と等化手段を介さない経路とに分配する。等化装置の起動指示時、第１の切替部は、等化手段を介さない経路の放送波信号を導出する。その後、等化処理が有効である旨の通知が等化手段から制御部へ伝達されると、第１の切替部は、制御部の切替制御により、等化手段からの放送波信号の導出に切り替えるようにしている。
【発明の効果】
【００１０】
本発明によれば、装置起動後に自動で等化機能をオンにすることができ、等化機能がオンになった直後でも、動作が安定し、また、信号を遅延なく送出することが可能な等化装置を提供できる。
【発明を実施するための最良の形態】
【００１１】
以下では、図面を参照しながら本発明の実施の形態について詳細に説明する。
【００１２】
図１は、本発明の一実施形態に係る中継装置の構成を示すブロック図である。図１において、基地局から送信されたＯＦＤＭ変調方式の放送波信号は、受信アンテナ１０で受信され、周波数変換部２０で中間周波数帯域のＩＦ（Intermediate Frequency）信号に周波数変換された後、等化装置３０に導出される。放送波信号は、等化装置３０でマルチパスやマルチパスフェージング等が抑圧され、周波数変換部４０で無線周波数帯域に周波数変換され、送信アンテナ５０から出力される。
【００１３】
図２は、本発明の一実施形態に係る等化装置３０の構成を示すブロック図である。図２において、ＩＦ信号は、分配部３１で２系統に分配され、一方はアナログ−デジタル（Ａ／Ｄ）変換部３３に供給され、他方は切替部３２に供給される。
【００１４】
ＩＦ信号は、アナログ−デジタル変換部３３でデジタル信号に変換され、直交復調部３４で直交復調されベースバンドのＯＦＤＭ変調波となり、帯域制限フィルタ３５で隣接チャンネルが抑圧される。隣接チャンネルが抑圧されたＯＦＤＭ変調波は、分配部３６で２系統に分配され、一方は等化部３７に供給され、他方は切替部３８に供給される。
【００１５】
等化部３７は、入力されたＯＦＤＭ変調波のマルチパス等化及びシンボル判定処理を行う。このとき等化部３７では、ＯＦＤＭ変調波を復調し、復調後に得られた時間軸上の情報信号のフレーム同期を取ることにより等化処理を行う。ここで、情報信号のフレーム同期が取れ、入力されたＯＦＤＭ変調波の等化処理を有効に行える場合には、等化部３７は、等化機能が有効である旨の監視信号を制御部３９に通知する。また、フレーム同期を取ることができず、等化処理を有効に行えない場合には、等化機能が無効である旨の監視信号を制御部３９に通知する。
【００１６】
切替部３８は、分配部３６で分配されたＯＦＤＭ変調波と等化処理されたＯＦＤＭ変調波とを受け取り、一方を選択的に導出する。導出されたＯＦＤＭ変調波は、直交変調部３１０で直交変調され、デジタル−アナログ（Ｄ／Ａ）変換部３１１でＩＦ帯のアナログ信号に変換される。
【００１７】
切替部３２は、このＩＦ帯のアナログ信号と分配部３１で分配されたＩＦ信号とを受け取り、一方の信号を選択的に導出する。導出された信号は、周波数変換部４０へ出力される。
【００１８】
異常検知部３１２は、等化装置３０の各構成要素における異常を検知し、制御部３９にアラーム信号を出力する。ここでの異常とは、例えばデジタル−アナログ変換部３１１において、信号変換時のクロック信号に異常が発生すること等が挙げられる。
【００１９】
制御部３９は、等化部３７からの監視信号、異常検知部３１２からのアラーム信号及び、外部装置（図示せず）からの等化機能オン／オフ信号を受信し、各信号に基づいて、切替部３２，３８を切替制御する。ここでは、切替部３２が分配部３１からのＩＦ信号を導出するモードをバイパスモード、切替部３２がデジタル−アナログ変換部３１１からのアナログ信号を導出する状態で切替部３８が分配部３６からのＯＦＤＭ変調波を導出するモードを直通モード、同じく切替部３２がデジタル−アナログ変換部３１１からのアナログ信号を導出する状態で切替部３８が等化部３７からのＯＦＤＭ変調波を導出するモードを等化モードと称する。
【００２０】
図３は、本発明の一実施形態に係る制御部３９によるモードの切り替えを示す図である。等化装置３０の起動時には、等化部３７における等化機能は無効であり、切替部３２，３８は、バイパスモードとなるように制御されている。起動時のバイパスモードでは、外部装置からの等化機能オン／オフ信号及び、異常検知部３１２からのアラーム信号を受け取っても、モードの切り替えは行わない。
【００２１】
装置起動後、制御部３９は、等化部３７からの監視信号を監視し、等化機能が有効である旨の監視信号を受け取ると、切替部３２，３８を制御してモードを等化モードに切り替える。モードが等化モードである際に、等化機能オフ信号を受け取ると直通モードに切り替え、等化機能オン信号を受け取ると等化モードに切り替える。
【００２２】
装置起動後、入力されるＩＦ信号の状態が変化することにより、等化部３７における等化処理が有効に働かなくなる場合がある。この際には、等化部３７は、等化機能が無効である旨の監視信号を制御部３９に送信する。制御部３９は、等化機能が無効である旨の通知を受け取った場合、制御部３９は、モードを等化モードから直通モードに切り替える。ここでは、等化機能オン／オフ信号を受け取っても、モードは直通モードのままとなる。
【００２３】
また、装置起動後、等化モード又は直通モードの際にアラーム信号を受け取ると、等化処理の有効／無効及び等化機能オン／オフ信号に関わらずモードをバイパスモードに切り替える。
【００２４】
以上のように、上記一実施形態に係る等化装置は、等化装置の起動時はバイパスモードとなっており、起動後に等化部３７から等化処理が有効である旨の監視信号が発せられると、モードが等化モードに自動で切り替わるようになっている。これにより、等化部３７による等化機能を自動でオンすることが可能となり、等化機能がオンとなった直後でも等化装置の動作は安定した状態となっている。また、放送波信号は、分配部３１により、バイパスモードと等化モードに分配されているため、等化部３７にはＯＦＤＭ変調波が常に入力されるようになっている。このため、バイパスモードの最中にも等化処理の演算を行うことができ、等化機能がオンとなった直後であっても等化処理による信号の遅延は発生しない。
【００２５】
したがって、等化装置３０は、装置起動後に自動で等化機能をオンにすることができ、等化機能がオンになった直後でも、動作が安定し、また、信号を遅延なく送出することできる。
【００２６】
また、入力されたＩＦ信号の状態が変化し、等化処理が無効となる場合には、モードを直通モードに切り替えるようにしている。これにより、等化処理を有効に行うことができない場合でも、ＯＦＤＭ変調波の隣接チャンネルを抑圧することが可能となる。
【００２７】
また、外部装置からの等化機能オン／オフ信号により、等化モードと直通モードとを切り替えることができるようにしている。これにより、外部からの指示により等化機能のオン／オフを切り替えることが可能となる。
【００２８】
また、異常検知部３１２からのアラーム信号により、モードをバイパスモードに切り替えることができるようにしている。これにより、装置の各構成要素に異常が発生した場合には、異常を生じた構成要素の影響のおそれがある放送波信号を出力しないようにしている。
【００２９】
なお、本発明は上記実施形態に限定されるものではない。例えば、中継装置に設けられた等化装置について説明しているが、中継装置に限定されることは無く、例えば、受信装置に設けられる場合であっても同様に実施可能である。
【００３０】
また、等化処理が無効になる例としてクロック同期がとれない場合を挙げているが、等化処理が無効になる要因はこれに限定されるわけではない。
【００３１】
さらに、本発明は、実施段階ではその要旨を逸脱しない範囲で構成要素を変形して具体化できる。また、上記実施形態で開示されている複数の構成要素を適宜組み合わせることにより、種々の発明を形成できる。例えば、実施形態に示された全構成要素からいくつかの構成要素を削除してもよい。
【図面の簡単な説明】
【００３２】
【図１】本発明の一実施形態に係る等化装置を備える中継装置の構成を示すブロック図。
【図２】上記実施形態に係る等化装置の機能構成を示すブロック図。
【図３】上記実施形態に係る制御部におけるモード切替を示す図。
【符号の説明】
【００３３】
１０…受信アンテナ、２０…周波数変換部、３０…等化装置、３１…分配部、３２…、切替部、３３…Ａ／Ｄ変換部、３４…直交復調部、３５…帯域制限フィルタ、３６…分配部、３７…等化部、３８…切替部、３９…制御部、３１０…直交変調部、３１１…Ｄ／Ａ変換部、３１２…異常検知部、４０…周波数変換部、５０…送信アンテナ。
【図１】
2009124263.tif 000003
【図２】
2009124263.tif 000004
【図３】
2009124263.tif 000005